(57)【要約】  【課題】人目につき難く、どの部分にでも容易に取付けて使用でき、かつ始動操作法の制限を受けず、どんなに乱暴に扱っても破損する恐れのないバッジ兼用タイプの防犯ベルを実現する。  【解決手段】衣服、帽子又は持ち物等への取付け用のバネフック又は取付けネジを有するバッジベースに警報器を固設しておくと共に、バッジ取り付け面に起動停止操作用の操作突子を露出させておき、バッジを装着したときは、前記操作突子を押し込んで停止状態とし、バッジを取り外すと、前記操作突子が突出して始動状態となるように構成されている。【選択図】          図２
2006276944.tif 000002
【特許請求の範囲】
【請求項１】
衣服、帽子又は持ち物等への取付け用のバネフック又は取付けネジを有するバッジベースに警報器を固設しておくと共に、バッジ取り付け面に起動停止操作用の操作突子を露出させておき、バッジを装着したときは前記操作突子を押し込んで停止状態とし、バッジを取り外すと、前記操作突子が突出して始動状態となるように構成されていることを特徴とするバッジ型防犯警報器。
【請求項２】
前記のバッジが磁石力で警報器のバッジ取り付け面に着脱可能となっていることを特徴とする請求項１に記載のバッジ型防犯警報器。
【発明の詳細な説明】
【技術分野】
【０００１】
本発明は、衣類やバッグなどに装着しておいて、女性や子どもが身の危険を感じたような場合に警報音を発して、護身に利用するバッジ型の防犯警報器に関する。
【背景技術】
【０００２】
特開平11−284711号公報に記載のように、専用の防犯ベルを持ち歩くことなく、犯罪や危険から身を護るために、ハンドストラップに連動するスイッチを携帯電話機に設け、非常時にはハンドストラップを引くことによって防犯ベルを作動させる構成が提案されている。
【０００３】
また、特開2000-81489号公報に記載のように、防犯ベルをもっと身近なものとし、常備できるように、腕時計に防犯ベルを内蔵することも提案されている。あるいは、特開2003-67853号公報に記載のように、外出時に常時携帯しても邪魔にならず、目立たない携帯用の小型警報機を実現すべく、掌中に納まる小型のケーシング内にスピーカとその駆動回路と電池及び非常スイッチを有する警報音発生機構を収納し、前記スイッチの操作をケーシング外から挿入した操作ロッドの抜き挿しにより可能にした携帯用小型警報器が提案されている。
【特許文献１】特開平11−284711
【特許文献２】特開2000-81489
【特許文献３】特開2003-67853
【発明の開示】
【発明が解決しようとする課題】
【０００４】
ところが、特許文献１のような、携帯電話機に防犯ベル機能を設ける発明は、常に携帯電話機を携帯していなければならず、常に携帯電話機を所持していることの少ない子ども達には適用不能となり、防犯ベルの目的を達成できない。また、特許文献２のように、腕時計に防犯ベルを内蔵する発明も、腕時計を使用することの少ない子ども達には適用困難で、子ども達の防犯には適用できない。
【０００５】
これに対し、特許文献３のように、掌中に納まる小型のケーシング内に警報音発生機構などを収納した発明は、小型であるという利点は有るが、取付け紐を介してカバンやバッグなどのベルト部に結び付ける構造であるため、不意に危険を感じてあせった気持ちで始動操作する場合は作動不良を来す恐れがあり、使用したい時に所期の目的を達成できない。また、びっくりして、操作ロッドを引く力が強過ぎた場合は、損傷する恐れもあり、冷静になれない非常時の用途としては不十分である。特に、小型とはいえ、特別の防犯警報器を所持することになって持ち物が増えるので、緊急時に、操作すべき防犯警報器の選択を間違える恐れがある。
【０００６】
本発明の技術的課題は、このような問題に着目し、老若男女を問わず、人目につき難く、どの部分にでも容易に取付けて使用でき、かつ始動操作法の制限を受けず、どんなに乱暴に扱っても破損する恐れのないバッジ兼用タイプの防犯ベルを実現することにある。
【課題を解決するための手段】
【０００７】
本発明の技術的課題は次のような手段によって解決される。請求項１は、衣服、帽子又は持ち物等への取付け用のバネフック又は取付けネジを有するバッジベースに警報器を固設しておくと共に、バッジ取り付け面に起動停止操作用の操作突子を露出させておき、バッジを装着したときは、前記操作突子を押し込んで停止状態とし、バッジを取り外すと、前記操作突子が突出して始動状態となるように構成されていることを特徴とするバッジ型防犯警報器である。警報器自体は、公知の通常の製品で足りるが、バッジベースに取付け固定でき、表面にバッジを装着できることが必要である。
【０００８】
このように、衣服や持ち物等への取付け用のバネフックや取付けネジを有するバッジベースに警報器を固設してあるため、衣服や持ち物等のいろいろな部分にバネフックや取付けネジによって容易に防犯警報器を取付けることができる。そして、取付けネジ式やバネフック式は、上着の襟その他のいろいろな部分に直接に取付け可能なため、紐で取付ける場合のように、操作時に紐が伸びたり緩んだりして、防犯警報器の始動操作が不完全になるという問題は発生しない。したがって、防犯警報器を始動させる際の操作ミスを来すような恐れはない。
【０００９】
しかも、バッジベースに固設してある警報器のバッジ取り付け面に起動停止を操作する操作突子を露出させておき、バッジを装着したときは、前記操作突子を押し込んで停止状態とし、バッジを取り外すと、前記操作突子が突出して始動状態となるように構成にしてあるため、バッジを強引に引き剥がすと、操作突子が突出して警報器が作動するため、どんなに強くバッジを引っ張っても防犯警報器が損傷するといった問題は生じない。
【００１０】
また、バッジを取付ける際に同時に警報器も取付け可能なため、手軽に警報器を携帯して利用でき、しかも警報器はバッジの背面に隠れるので、警報器を所持していることが他人に気づかれ難く、不自然さが無いため、気軽に警報器を利用できる。
【００１１】
請求項２は、前記のバッジが磁石力で警報器のバッジ取り付け面に着脱可能となっていることを特徴とする請求項１に記載のバッジ型防犯警報器である。このように、前記のバッジが磁石力で警報器のバッジ取り付け面に着脱可能となっているため、磁石力に抗してバッジを強引に引き剥がすだけで、防犯警報器を始動できる。そして、再度始動できるようにリセットするには、バッジを磁石力によって警報器のバッジ取り付け面に吸着させておくだけでよい。したがって、繰り返し何度も起動停止させることが可能となる。
【発明の効果】
【００１２】
請求項１のように、衣服や帽子、持ち物等への取付け用のバネフックや取付けネジを有するバッジベースに警報器を固設してあるため、衣服や持ち物等のいろいろな部分にバネフックや取付けネジによって容易に防犯警報器を取付けることができる。そして、取付けネジ式やバネフック式は、上着の襟その他のいろいろな部分に直接に取付け可能なため、紐で取付ける場合のように、操作時に紐が伸びたり緩んだりして、防犯警報器の始動操作が不完全になるという問題は発生しない。したがって、防犯警報器を始動させる際の操作ミスを来すような恐れはない。
【００１３】
しかも、バッジベースに固設してある警報器のバッジ取り付け面に起動停止を操作する操作突子を露出させておき、バッジを装着したときは、前記操作突子を押し込んで停止状態とし、バッジを取り外すと、前記操作突子が突出して始動状態となるように構成にしてあるため、バッジを強引に引き剥がすと、操作突子が突出して警報器が作動するため、どんなに強くバッジを引っ張っても防犯警報器が損傷するといった問題は生じない。
【００１４】
また、バッジを取付ける際に同時に警報器も取付け可能なため、手軽に警報器を携帯して利用でき、しかも警報器はバッジの背面に隠れるので、警報器を所持していることが他人に気づかれ難く、不自然さが無いため、気軽に警報器を利用できる。
【００１５】
請求項２のように、前記のバッジが磁石力で警報器のバッジ取り付け面に着脱可能となっているため、磁石力に抗してバッジを強引に引き剥がすだけで、防犯警報器を始動できる。そして、再度始動できるようにリセットするには、バッジを磁石力によって警報器のバッジ取り付け面に吸着させておくだけでよい。したがって、繰り返し何度も起動停止させることが可能となる。
【発明を実施するための最良の形態】
【００１６】
次に本発明によるバッジ型防犯警報器が実際上どのように具体化されるか実施形態を説明する。図１は本発明によるバッジ型防犯警報器の全容を示す斜視図である。１はバッジであり、警報器２の表面２ａに着脱可能になっている。この警報器２は、バッジベース３の表面に固定されており、バッジベース３の裏側には、衣服のポケット４などに取付けるためのバネフックｆを設けてある。警報器２の表面２ａには、スピーカ用の小孔ｈを多数開けてあり、また警報器２の起動停止を操作する手段として、ピン状の操作突子５が出没式に埋め込まれている。
【００１７】
図２は、図１のバッジ型防犯警報器の側面図であり、バネフックｆを有するバッジベース３の表面に警報器２が固設されている。そして、この警報器２の表面２ａから分離した状態のバッジ１を有しており、警報器２の表面２ａからピン状の操作突子５が突出している。バッジ１の背面には、警報器２の表面２ａに吸着させるための磁石Ｍを埋め込んである。
【００１８】
警報器２の内部には、警報回路やその駆動用の電池、スピーカなどが内蔵されており、ケース分離部２ｃから開閉することによって、電池交換できる。
【００１９】
次に、このバッジ型防犯警報器の使い方を説明する。図示のように、ピン状の操作突子５が突出している状態では、警報器２自体の電源回路がスイッチＯＮ状態で、防犯ベルは鳴動するため、周囲に対し危険を知らせることができる。これに対し、バッジ１を警報器２の表面に近づけると磁石Ｍの磁力によって吸着され、その結果、バッジ１で操作突子５が押し込まれて警報器２の駆動回路がスイッチＯＦＦ状態となり、鳴動が停止する。
【００２０】
したがって、図２の破線１のように、バッジ１を警報器２の表面に磁石Ｍの磁力によって吸着させておくと、操作突子５は押し込まれて、警報器２が作動しない状態となる。身の危険を感じた場合は、バッジ１を強引に引っ張ると、実線のバッジ１のように、警報器２の表面から引き剥がされて、操作突子５が突出するため、警報器２の電源回路が通電されてＯＮ状態となり、警報器２が鳴動する。
【００２１】
このバッジ型防犯警報器は、警報器２の背部のバッジベース３にバネフックｆが有るため、例えば衣類のポケット４などにバネフックｆを引っ掛けておくと、バネ力によってポケット４などの上端の縁部が挟持されるため、バッジ１付きの警報器２が容易に離脱する恐れはない。警報器２の取付けか所としてポケットを例示したが、帽子のように常時被ったり、バッグ類やカバンなどのように常時所持する道具にバネフックｆを引っ掛けて挟持させてもよい。また、警報器２はバッジ１の背部に隠れていて、不自然さが無く、警報器２を所持していることが他人に気づかれ難いので、気軽に防犯警報器を携帯し利用できる。
【００２２】
次に他の実施形態を説明する。バッジ１を警報器２の表面に吸着させる手段として磁石Ｍを例示したが、糊などの粘着剤で接着させることもできる。通常の接着剤のように硬化しない粘着剤を使用すれば、バッジ１は警報器２の表面から容易に引き剥がすことができ、再度接着することもできる。
【００２３】
図示のように、バッジ１のサイズは、警報器２より大きいことが望ましい。警報器２の外径よりもバッジ１の外径が大きいと、緊急時にバッジ１のみを指で把持して、警報器２の表面から引き剥がすことができる。あるいは、警報器２を真円状とし、バッジ１を楕円状にすれば、楕円状バッジ１の長円部が警報器２の表面から突出するため、長円部を把持して引き剥がすことができる。なお、バッジ１にストラップなどを連結しておけば、ストラップを引っ張ることによって容易に引き剥がすこともできる。
【００２４】
このバッジ型防犯警報器を衣類などに取付けるためにバネフックｆをバッジベース３と一体に設けてあり、このバネフックｆを衣類のポケットや襟などに引っ掛けて挟持させることができるので、従来のように紐でしばっておくタイプと違って、バッジ１を引っ張った際に紐が伸びて警報器２が作動しなくなるような問題は生じない。なお、バッジベースを上着の襟にネジ止めするタイプもあるので、バネフックに代えてネジ止め構造にすることも可能である。
【００２５】
図１、図２は、警報器２の内部に、警報回路と共にスピーカや電池も内蔵されているが、図３の実施形態は、警報回路を内蔵した警報器２から両側に突出した部分にスピーカ６と電池収納部７を設けてある。電池は、ボタン電池などのような小型のものが適している。
【産業上の利用可能性】
【００２６】
以上のように、本発明によると、衣類や持ち物などへの取付けが便利なバネフックを有するバッジベースに警報器を固設しておくと共に、その表面のバッジ取り付け面に操作突子を露出させてあるため、バッジを磁石などで装着したときは操作突子を押し込んで警報器を停止状態とし、バッジを取り外すと、操作突子が突出して警報器が始動状態となり、警報音を発するため、任意の部分に簡単に取付けて使用でき、かつバッジの支持を兼ねていて目立たないため、気軽に警報器を携帯して利用でき、女性や子どもたちの身の危険を守るのに最適である。
【図面の簡単な説明】
【００２７】
【図１】本発明によるバッジ型防犯警報器の全容を示す斜視図である。
【図２】図１のバッジ型防犯警報器の側面図である。
【図３】バッジ型防犯警報器の他の実施形態を示す平面図である。
【符号の説明】
【００２８】
１  バッジ
２  警報器
２ａ  警報器表面
２ｃ  ケース分離部
ｈ  スピーカー孔
３  バッジベース
４  衣服ポケット
ｆ  バネフック
５  操作突子
６  スピーカー
７  電池収納部
【図１】
2006276944.tif 000003
【図２】
2006276944.tif 000004
【図３】
2006276944.tif 000005